(57)【要約】      （修正有）【課題】ユーザの負担を軽減しつつ、施設園芸用の施設の環境を細かく設定できる環境設定装置を提供する。【解決手段】施設園芸用の施設Ｘの環境設定装置１００であって、施設Ｘの環境の変化を表すグラフを画面上に表示するグラフ表示部１１０と、環境の設定値を表すデータの点を、画面上に入力するデータ点操作部１２０と、画面上で、隣接する点同士を線分で結び、前記環境の変化を表すグラフを作成するグラフ作成手段１３３を備える。【選択図】図１
0003212266.tif 000002
【実用新案登録請求の範囲】
【請求項１】
施設園芸用の施設の環境設定装置であって、
前記施設の環境の変化を表すグラフを画面上に表示するグラフ表示部と、
前記環境の設定値を表すデータの点を、前記画面上に入力するデータ点操作部と、
前記画面上で、隣接する前記点同士を線分で結び、前記環境の変化を表すグラフを作成するグラフ作成手段を備えることを特徴とする環境設定装置。
【請求項２】
前記データ点操作部は、前記データの点を、前記画面上で移動させることが可能で、
前記グラフ作成手段は、移動後の点と、当該移動後の点に隣接する点とを線分で結び直すことを特徴とする請求項１に記載の環境設定装置。
【請求項３】
前記データ点操作部は、前記データの点を、前記画面上で削除することが可能で、
前記グラフ作成手段は、前記点が削除された後に残った、隣接する点同士を線分で結び直すことを特徴とする請求項１に記載の環境設定装置。
【考案の詳細な説明】
【技術分野】
【０００１】
本考案は、施設園芸用の施設の、温度や湿度等の環境を設定する環境設定装置に関する。
【背景技術】
【０００２】
従来から、施設園芸用のガラス温室やビニールハウス等の施設において、温度や湿度等の環境を任意に設定する環境設定装置が知られている。例えば、図４（ａ）に示す従来の環境設定装置は、暖房温度の変化を表すグラフを表示する画面を備えた装置であって、各時刻おける施設の暖房温度を任意に設定できるものである。具体的には、ユーザは、図４（ｂ）に示すような入力画面において、任意の時刻、例えば時刻０から３時（ｈ）までの間、施設の暖房温度を２０度（℃）と、キーボード等の入力装置で数値入力する。同様に、ユーザは、所望の時刻を指定して、当該時刻における暖房温度を順次入力していく。すると、その入力されたデータに基づいて、図４（ａ）に示すような、各時刻における暖房温度の変化がグラフとして表示されるのである。そして、環境設定装置は、入力された各時刻と暖房温度のデータに基づき、施設の暖房装置を制御しているのである。
【０００３】
ただ、この従来技術は、図４（ｂ）に示すように、ユーザ自らが、所望の時刻を指定して、その時刻における暖房温度を設定する方式なので、図４（ａ）に示すように、指定された時刻の間は一定の暖房温度となり、その結果、暖房温度の変化が階段状に急激に変化することとなる。そこで仮に、図４（ｃ）に示すように、例えば時刻を１０分毎に指定して、暖房温度を０．２度刻みで細かく設定していけば、図４（ｄ）に示すように、暖房温度の変化は滑らかになる。しかしながら、図４（ｃ）に示すように、短い時間間隔で暖房温度を細かく設定しなければならず、入力の手間が非常にかかるので、ユーザに多大な負担をかけるという問題があった。
【考案の概要】
【考案が解決しようとする課題】
【０００４】
そこで、本考案は、上記問題に鑑み、ユーザの負担を軽減しつつ、施設園芸用の施設の環境を細かく設定できる環境設定装置を提供するものである。
【課題を解決するための手段】
【０００５】
上記課題を解決するために、本考案の環境設定装置は、施設園芸用の施設の環境設定装置であって、前記施設の環境の変化を表すグラフを画面上に表示するグラフ表示部と、前記環境の設定値を表すデータの点を、前記画面上に入力するデータ点操作部と、前記画面上で、隣接する前記点同士を線分で結び、前記環境の変化を表すグラフを作成するグラフ作成手段を備えることを特徴とする。
【０００６】
上記特徴により、ユーザがデータ点操作部によって、環境の設定値を表すデータの点を入力するという簡単な操作を行うだけで、グラフ作成手段が隣接する点同士を線分で結んで、滑らかに環境が変化するグラフを自動的に作成するのである。そして、ユーザが各時刻における環境の設定値を細かく入力する手間を省くことができるのである。
【０００７】
さらに、上記課題を解決するために、本考案の環境設定装置は、前記データ点操作部が、前記データの点を、前記画面上で移動させることが可能で、前記グラフ作成手段は、移動後の点と、当該移動後の点に隣接する点とを線分で結び直すことを特徴とする。
【０００８】
上記特徴により、ユーザがデータ点操作部によって、環境の設定値を表すデータの点を移動させても、グラフ作成手段が隣接する点同士を線分で再度結んで、環境の変化を表すグラフを自動的に作成し直すのである。そのため、ユーザが、各時刻における環境の設定値を、再度細かく入力し直す手間を省くことができるのである。
【０００９】
さらに、上記課題を解決するために、本考案の環境設定装置は、前記データ点操作部が、前記データの点を、前記画面上で削除することが可能で、前記グラフ作成手段は、前記点が削除された後に残った、隣接する点同士を線分で結び直すことを特徴とする。
【００１０】
上記特徴により、ユーザがデータ点操作部によって、環境の設定値を表すデータの点を削除しても、グラフ作成手段が隣接する点同士を線分で再度結んで、環境の変化を表すグラフを自動的に作成し直すのである。そのため、ユーザが、各時刻における環境の設定値を、再度細かく入力し直す手間を省くことができるのである。
【考案の効果】
【００１１】
上記の本考案によれば、ユーザの負担を軽減しつつ、施設園芸用の施設の環境を細かく設定できる環境設定装置を提供できる。
【図面の簡単な説明】
【００１２】
【図１】本考案の環境設定装置の概念図である。
【図２】本考案の環境設定装置によって、施設の環境の設定を行う方法について説明するもので、（ａ）はグラフ表示部の画面を示しており、（ｂ）は当該画面の一部を拡大したものである。
【図３】本考案の環境設定装置によって、施設の環境の設定を行う方法について説明するのもので、（ａ）及び（ｂ）はグラフ表示部の画面の一部を拡大したものである。
【図４】本考案にかかる従来技術の環境設定装置について説明するもので、（ａ）は当該環境設定装置のグラフを表示する画面を示しており、（ｂ）及び（ｃ）は入力画面を示しており、（ｄ）はグラフを表示する画面の一部を拡大したものである。
【符号の説明】
【００１３】
１００        環境設定装置
１１０        グラフ表示部
１２０        データ点操作部
１３３        グラフ作成手段
Ｘ            施設
【考案を実施するための形態】
【００１４】
以下に、本考案の実施の形態について、図面を用いて説明する。
【００１５】
図１は、本考案の環境設定装置１００の概念図を示している。この環境設定装置１００は、施設園芸用の施設Ｘの環境の変化を表すグラフを画面上に表示するグラフ表示部１１０と、環境の設定値を表すデータの点を、グラフ表示部１１０の画面上に入力するデータ点操作部１２０と、後述するグラフ作成手段１３３を実装する処理装置１３０とを備える。また、環境設定装置１００の処理装置１３０は、施設園芸用の施設Ｘの環境を制御する環境制御装置Ｙに、制御信号を伝達する。
【００１６】
図１に示すグラフ表示部１１０は、ディスプレー等の表示装置であり、後述するグラフを画面上に表示するものである。また、そのグラフ等の画像情報は、処理装置１３０からグラフ表示部１１０に入力されている。
【００１７】
次に、処理装置１３０は、中央処理装置（ＣＰＵ）１３１と記憶装置（メモリ）１３２を備えており、後述するようにグラフ表示部１１０の画面上の隣接する点同士を線分で結び、グラフを作成する演算処理を行っている。すなわち、この処理装置１３０は、グラフ表示部１１０の画面上の隣接する点同士を線分で結び、グラフを作成するグラフ作成手段１３３を実装している。
【００１８】
また、データ点操作部１２０は、マウス等のインターフェースであり、ユーザはデータ点操作部１２０を操作して、グラフ表示部１１０の画面上で環境の設定値を表すデータの点を、プロット、移動、又は削除することができる。
【００１９】
また、施設Ｘはガラス温室やビニールハウス等の施設園芸を行う施設であり、施設内の暖房温度や湿度等の環境を制御する環境制御装置Ｙを備える。この設定対象となる環境としては、様々な種類のものが考えられ、施設Ｘの仕様や施設園芸を行う植物等の種類によって適宜変更することができ、例えば、施設Ｘ内の温度や湿度、施設Ｘ内の照明装置の照度、施設Ｘの窓の開閉角度等が考えられる。また、環境制御装置Ｙとしては、様々な種類のものが考えられ、施設Ｘの仕様や施設園芸を行う植物等の種類によって適宜変更することができ、例えば、暖房装置（ボイラー）、湿度調節装置、照明装置、窓開閉装置、散水装置等が考えられる。
【００２０】
では次に、本考案の環境設定装置１００によって、施設Ｘの環境の設定を行う方法について図２を参照して説明する。
【００２１】
図２（ａ）に示すように、環境設定装置１００のグラフ表示部１１０の画面には、施設Ｘの暖房温度の変化を表すグラフが表示されている。具体的には、横軸に時刻をとり、縦軸に各時刻に対応する暖房温度が示されている。
【００２２】
図２（ｂ）は、ユーザがデータ点操作部１２０を操作して、グラフ表示部１１０の画面上に、環境の設定値を表すデータの点Ｐ１と点Ｐ２が入力されている状態である。この点Ｐ１は、「時刻１時では、暖房温度を２０度」に設定することを表している。同様に、点Ｐ２は、「時刻８時では、暖房温度を２７度」に設定することを表している。
【００２３】
そして次に、ユーザが「時刻６時では、暖房温度を２４度」に設定する場合、データ点操作部１２０を操作して、図２（ｂ）に示すようにカーソルＵを画面上で移動させ、「時刻６時、暖房温度２４度」の座標に、データの点Ｐ３をプロットする。
【００２４】
その後、グラフ作成手段１３３は、隣接する点同士を線分で結んでグラフを作成していく。具体的には、グラフ作成手段１３３は、隣接する点Ｐ１と点Ｐ３を線分Ｌ１で結び、隣接する点Ｐ３と点Ｐ２を線分Ｌ２で結んで、暖房温度の変化を表すグラフを作成していく。
【００２５】
その他の時刻についても、ユーザが任意の時刻と暖房温度を指定して、画面上に点Ｐ４から点Ｐ９をプロットしていくことで、図２（ａ）に示すように、グラフ作成手段１３３が隣接する点同士を線分で結んでゆき、最終的に時刻２４時までの変化を表すグラフが完成するのである。なお、ユーザが、データ点操作部１２０によって入力できる点の数や座標は、図２における点Ｐ１から点Ｐ９に限定されず、任意の数の点を任意の座標に入力できる。
【００２６】
このように、本考案の環境設定装置１００によれば、ユーザがデータ点操作部１２０によって、環境の設定値を表すデータの点を任意の座標に入力するだけで、グラフ作成手段１３３が隣接する点同士を線分で結んで、環境の変化を表すグラフを自動的に作成するのである。
【００２７】
そして、図２（ｂ）に示すように、グラフ作成手段１３３によって作成された線分Ｌ１によって、時刻１時から時刻６時の間の各時刻の暖房温度は、滑らかに少しずつ変化するように自動的に設定される。同様に、グラフ作成手段１３３によって作成された線分Ｌ２によって、時刻６時から時刻Ｌ８の間の各時刻の暖房温度は、滑らかに少しずつ変化するように自動的に設定される。その結果、従来の図４（ｃ）及び（ｄ）に示すように、ユーザが、各時刻における環境の設定値を細かく入力する手間を省くことができるのである。なお、図２（ａ）に示すように、線分Ｌ１及び線分Ｌ２以外の部分でも、グラフ作成手段１３３によって作成されたグラフによって、各時刻の暖房温度は、自動的に細かく設定されている。
【００２８】
また、図２（ｂ）に示すように、各時刻における暖房温度は、滑らかに少しずつ変化するように設定できるので、当該暖房温度に基づいて施設Ｘの環境を制御する環境制御装置Ｙの消費エネルギーの削減にも寄与するのである。具体的には、従来の環境設定装置では、指定された時刻の間は一定の暖房温度で設定されているので、例えば、図２（ｂ）においては、従来の環境設定装置の場合、時刻１時から時刻６時の間は暖房温度２４度で一定に設定される。そのため、時刻１時から時刻６時の間は、暖房温度は２４度のままで、環境制御装置Ｙは、無駄にエネルギーを多く消費するのである。
【００２９】
一方、本考案の環境設定装置１００によれば、図２（ｂ）に示すように、グラフ作成手段１３３によって作成された線分Ｌ１によって、時刻１時から時刻６時の間の各時刻の暖房温度は、滑らかに少しずつ変化するように設定される。そのため、本考案の環境設定装置１００によれば、従来の環境設定装置と比較して、図２（ｂ）に示す面積Ｓ分（図面上の、斜線で示した三角形部分）だけ、環境制御装置Ｙの消費エネルギーの削減が可能なのである。
【００３０】
では次に、図３を参照して、環境の設定値を表すデータの点を、画面上で移動する、又は削除する場合について説明する。
【００３１】
まず、図３（ａ）に示すように、ユーザが、点Ｐ３における「時刻６時では、暖房温度を２４度」に設定されている状態を、「時刻６時では、暖房温度を２１度」に設定されている状態へと変更する場合を想定する。ユーザは、データ点操作部１２０を操作して、図３（ａ）に示すようにカーソルＵを画面上で移動させ、「時刻６時、暖房温度２１度」の座標に、点Ｐ３を移動させる（移動後の点は、点Ｐ３ａで示す）。
【００３２】
すると、グラフ作成手段１３３は、移動後の点Ｐ３ａと隣接する点Ｐ１とを線分Ｌ１で再度結び直し、同様に、移動後の点Ｐ３ａと隣接する点Ｐ２とを線分Ｌ２で再度結び直し、グラフを作成し直す。
【００３３】
そして、図３（ａ）に示すように、グラフ作成手段１３３により再度作成された線分Ｌ１及び線分Ｌ２によって、時刻１時から時刻８時の間の各時刻の暖房温度は、滑らかに少しずつ変化するように、自動的に再度設定されている。その結果、従来の図４（ｃ）及び（ｄ）に示すように、ユーザが、各時刻における環境の設定値を、再度細かく入力し直す手間を省くことができるのである。
【００３４】
なお、図３（ａ）では、点Ｐ３を下方向へ移動させたが、これに限定されず、画面上で任意の方向へ移動させることができ、例えば点Ｐ３を上方向や横方向へ移動させてもよい。
【００３５】
では次に、図３（ｂ）に示すように、ユーザが、点Ｐ３における「時刻６時では、暖房温度を２４度」に設定されている状態を、削除したい場合を想定する。ユーザは、データ点操作部１２０を操作して、図３（ｂ）に示すようにカーソルＵで、点Ｐ３を指定して削除する。
【００３６】
すると、グラフ作成手段１３３は、点Ｐ３が削除された後に残った隣接する点、すなわち、点Ｐ１と点Ｐ２を線分Ｌ３で結び、グラフを作成し直してゆく。
【００３７】
そして、図３（ｂ）に示すように、グラフ作成手段１３３によって再度作成された線分Ｌ３によって、時刻１時から時刻８時の間の各時刻の暖房温度は、滑らかに少しずつ変化するように、自動的に再度設定されている。その結果、従来の図４（ｃ）及び（ｄ）に示すように、ユーザが、各時刻における環境の設定値を、再度細かく入力し直す手間を省くことができるのである。
【００３８】
なお、図３では、点Ｐ３を移動させる、又は削除した場合について説明したが、当然、点Ｐ３以外の点を移動させる、又は削除しても、グラフ作成手段１３３は隣接する点同士を線分で結び、グラフを作成し直す。また、図３では、点Ｐ３のみを任意の方向へ移動させていたが、これに限定されず、複数の点を指定して同時に移動させたり、グラフ全体をまとめて同時に移動させることもできる。
【００３９】
また、図１から図３では、横軸に時刻、縦軸に暖房温度をとり、環境の変化を表すグラフを作成していたが、これに限定されず、横軸と縦軸の両方に施設の環境を表す値をとり、当該施設の環境の変化を表すグラフを作成してもよい。例えば、横軸に施設Ｘ内の室温を、縦軸に施設Ｘの窓の開閉角度をとり、施設Ｘ内の室温と窓の開閉角度の対応関係に基づく、環境の変化を表すグラフを作成してもよい。当該グラフは、施設Ｘ内の室温の変化に伴って、窓の開閉角度が増減するグラフとなる。
【００４０】
なお、本考案の環境設定装置は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003212266.tif 000003
【図２】
0003212266.tif 000004
【図３】
0003212266.tif 000005
【図４】
0003212266.tif 000006